(57)【要約】      （修正有）【課題】使用者が携帯して使用するレーザポインタにおいて、光を照射する際の総出力が大きくなり過ぎず、照明としての性能もレーザポインタ本来の性能も高い水準で実現することができるレーザポインタを提供する。【解決手段】レーザポインタは、使用者が把持し得る本体に、レーザを照射し得るレーザ用発光手段３と、照明光を発光し得る照明用発光手段と、これらレーザ用発光手段及び照明用発光手段に電力を供給するための電源部５と、通電検出回路６並びに制御回路８とを実装しているものである。そして通電検出回路と制御回路により、照明が発光している状態におけるレーザの発光が、照明が発光していない状態における発光よりも弱いように構成している。【選択図】図３
2010128208.tif 000002
【特許請求の範囲】
【請求項１】
携帯可能な本体に、互いに照射する範囲が重なるように配置されたレーザ用発光手段と照明用発光手段とを実装したレーザポインタであって、
前記何れか一方の発光手段が発光している状態における他方の発光手段の発光が、一方の発光手段が発光していない状態における発光よりも弱いことを特徴とするレーザポインタ。
【請求項２】
前記一方の発光手段が、前記照明用発光手段である請求項１記載のレーザポインタ。
【請求項３】
前記一方の発光手段が、前記レーザ用発光手段である請求項１記載のレーザポインタ。
【請求項４】
前記一方の発光手段への通電を検出する通電検出回路と、当該通電検出回路が前記通電を検出することよって前記他方の発光手段の発光を弱める制御回路とを有している請求項１、２又は３記載のレーザポインタ。
【請求項５】
前記一方の発光手段の発光を検出する発光検出回路と、当該発光検出回路が前記発光を検出することによって前記他方の発光手段の発光を弱める制御回路とを有している請求項１、２又は３記載のレーザポインタ。
【請求項６】
前記発光手段の光源としてＬＥＤを用いている請求項１、２、３、４又は５記載のレーザポインタ。
【発明の詳細な説明】
【技術分野】
【０００１】
本発明は、使用者が特定の箇所をレーザで指し示すことができるレーザポインタに関するものである。
【背景技術】
【０００２】
従来、使用者が好適にプレゼンテーションを行なうことができるようにするため、所定の箇所をレーザで明確に指し示すことができるレーザポインタが種々提案されている。これらのものは、レーザの照射によって対象物を指し示す機能の他に、拡散する光を照射する、照明器具としての機能を併せ持ったもの（例えば、特許文献１参照）や、その他、パーソナルコンピュータやその他の情報処理装置と無線交信して表示画面の変更等の遠隔操作を行い得るものも開発されている。
【０００３】
そして前者のようなレーザと拡散する照明光とを両方照射し得るものとしては、特許文献１に示したものの他、使用者がレーザポインタを持ち替えることなくレーザと照明光とを所要の箇所に照射することができるよう、それぞれの照射範囲が重なるように構成しているものが提案されている（例えば、特許文献２）参照。
【特許文献１】特開２０００−２６０２０１号公報
【特許文献２】特許第３３８４０３１号公報
【発明の開示】
【発明が解決しようとする課題】
【０００４】
そして、上述のようなレーザポインタは、照射したレーザが人体、例えば目に影響することがないよう自主基準が設けられるなど、携帯が可能なレーザポインタから照射し得るレーザの出力は、人体に極力影響を与えないような一定の値を超えないように設定されたものとなっている。
【０００５】
しかしながら、上記の自主基準についてはレーザのみを照射するレーザポインタを専ら対象としたものであり、特許文献２に記載したようなレーザと照明とを同じ箇所に向けて照射し得るものに対しての具体的な指針はなんら設定されていないのが現状である。
【０００６】
ここで、上記自主基準を特許文献２のようなものに適用するとすれば、両方の光が同時に周囲の人に向けられる場合、特にレーザが周りの人の目に偶発的に向けられた場合に照明光をも目に入ってくるという状況を考えると、単にレーザの出力のみを目に影響を与えない出力に設定するということでは足りず、両方の光の出力の合計が、一定以下の出力に押さえられたものであることが望ましいと考えるのが妥当であると思われる。
【０００７】
そうすると、斯かる構成のレーザポインタの出力は照明の出力に予め制限された小さな値のレーザしか実装し得ないか、或いはレーザの出力を落とし過ぎないために照明の出力を予め落とした構成のものとなってしまうといったこととなる。
【０００８】
本発明は、このような不具合に着目したものであり、使用者が携帯して使用するレーザポインタにおいて、光を照射する際の総出力が大きくなり過ぎることを有効に回避し、且つ、照明としての性能もレーザポインタ本来の性能も高い水準で実現することができるレーザポインタを提供する。
【課題を解決するための手段】
【０００９】
本発明は、このような目的を達成するために、次のような手段を講じたものである。すなわち、本発明に係るレーザポインタは、携帯可能な本体に、互いに照射する範囲が重なるように配置されたレーザ用発光手段と照明用発光手段とを実装したレーザポインタであって、前記何れか一方の発光手段が発光している状態における他方の発光手段の発光が、一方の発光手段が発光していない状態における発光よりも弱いことを特徴とする。
【００１０】
このようなものであれば、例えレーザ用発光手段と照明用発光手段とが同時に他の人に向いて照射されるようなことが起こったとしても、レーザと照明との総出力を一定の基準以下に抑えるという構成とすることが可能となる。そうすることにより、使用に際する安全性、加えて使用に際しての使用者及び回りの者に印象付ける安全性をもより有効に高めたレーザポインタとしながらも、照明としての性能もレーザポインタ本来の性能も高い水準で実現することができるレーザポインタを提供することが可能となる。
【００１１】
斯かるレーザポインタの具体的な構成としては、前記一方の発光手段が、前記照明用発光手段であるもの、すなわち、照明用発光手段が発光している状態におけるレーザ用発光手段の発光が弱くなる構成のものとして、レーザ用発光手段の出力を変更し得るものを挙げることができる。他方、前記一方の発光手段が、前記レーザ用発光手段であるもの、すなわち、レーザ用発光手段が発光している状態における照明用発光手段の発光が弱くなる構成のものととして、照明用発光手段の出力を変更し得るものを挙げることができる。
【００１２】
そして、簡素な構成で、いずれか一方の発光手段の状態を把握し得るものとするためには、照明用発光手段及びレーザ用発光手段の何れか一方への通電を検出する通電検出回路と、当該通電検出回路が前記通電を検出することよって前記他方の発光手段の発光を弱める制御回路とを有したものとすることが望ましい。ここで、通電を検出するとは、何れかの発光手段への通電に伴う電圧、電流、あるいはそれらの積である電力を検出する場合の何れをも含む概念である。また本発明は、通電の有無を検出するという概念のみならず、通電される際の電圧、電流もしくは電力の量を検出するといった態様をも含むものである。
【００１３】
他方、より確実に、前記何れか一方の発光手段の状態を把握し得るものとするためには、照明用発光手段及びレーザ用発光手段の何れか一方の発光手段の発光を検出する発光検出回路と、当該発光検出回路が前記発光を検出することによって前記他方の発光手段の発光を弱める制御回路とを有しているものとすればよい。この場合、発光の有無を検出するという概念のみならず、例えば一定以上の発光により制御手段を作動させるといった態様、すなわち光量を検出するような態様をも含むものである。
【００１４】
そして、上述した発光手段の光源として、発光ダイオードやレーザダイオードといったＬＥＤを用いたものとすれば、上記の構成を安定して実現し得るものとすることができる。
【発明の効果】
【００１５】
本発明によれば、他方の発光手段の出力を弱めることによって、レーザ用発光手段と照明用発光手段との総出力を一定の基準以下に抑えるという構成とすることが可能となる。そうすることにより、使用に際する安全性、加えて使用に際しての使用者及び回りの者に印象付ける安全性をもより有効に高めたレーザポインタとしながらも、照明としての性能もレーザポインタ本来の性能も高い水準で実現することができるレーザポインタを提供することが可能となる。
【発明を実施するための最良の形態】
【００１６】
以下、本発明の実施の形態について図面を参照して説明する。
＜第一実施形態＞
本発明の第一実施形態に係るレーザポインタ１は、携帯可能な本体２に互いに照射する範囲が重なるように配置されたレーザ用発光手段３と照明用発光手段４とを実装したものであり、本体２の一端に位置付けられた照射部２２からレーザ照射部３１によるレーザと、照明用ＬＥＤ４１による、例えば白色の拡散光である照明光を照射し得るものである。
【００１７】
当該レーザポインタ１は、具体的には図１及び図２に示すように、使用者が把持し得る本体２に、レーザを照射し得るレーザ用発光手段３と、照明光を発光し得る照明用発光手段４と、これらレーザ用発光手段３及び照明用発光手段４に電力を供給するための電源部５と、後に詳述する通電検出回路６並びに制御回路８とを実装しているものである。
【００１８】
本体２は、図１及び図２に示すように、当該本体２の主体をなし、上述の各構成要素を収容している筐体２１と、一端側に位置付けられ、レーザ並びに照明光を透過し得るカバーガラス２３とを有している。筐体２１は、使用者の手で把持し易いように形成された概略円筒形状のものであり、当該円筒の側面にはレーザ用スイッチ３２及び通電ランプ３３が位置付けられているとともに、照射部２２とは反対側、すなわち他端側に照明用スイッチ４２を位置付けている。また筐体２１内に、後述する通電検出回路６と制御回路８とを配置した図示しない基板をも内臓している。照射部２２は、筐体２１の一端側にレーザ照射部３１と照明用ＬＥＤ４１を保護するためのカバーガラス２３を取り付けてなるものである。つまり、本実施形態では当該カバーガラス２３を介してリフレクタ４３が視認されるとともに、そのリフレクタ４３の中央部分にレーザ照射部３１と照明用ＬＥＤ４１が視認されるものとなっている。
【００１９】
レーザ用発光手段３は、図１及び図２に示すように、照射部２２から視認し得る上述のレーザ照射部３１と、筐体２１側面に位置付けられたレーザ用スイッチ３２と、当該レーザ用スイッチ３２近傍にある通電ランプ３３とを有している。レーザ照射部３１は、レーザダイオードを主体としているものであり、後述の制御回路８からの制御によって例えばその出力が０．６ｍＷと、０．４ｍＷとで切り替わるものとなっている。レーザ用スイッチ３２は、例えば表面がゴム等により構成されたボタンとなっており、当該レーザ用スイッチ３２を押圧した時にのみ電源部５から通電され、レーザが発光するものとなっている。そして通電ランプ３３は、レーザ用スイッチ３２が押圧されたときにのみ、すなわちレーザ照射部３１への通電とともに発光する、例えばＬＥＤを主体とし、本実施形態ではレーザと同系の発光をするものとなっている。
【００２０】
照明用発光手段４は、図１及び図２に示すように、照射部２２に位置付けられた照明用ＬＥＤ４１と、筐体２１他端部に位置付けられた、図２に破線で示される照明用スイッチ４２と、照射部２２において照明用ＬＥＤ４１及びレーザ照射部３１の周囲を囲うように位置付けられたリフレクタ４３とを有している。照明用ＬＥＤ４１は、本実施形態では出力が０．４ｍＷの、白色で拡散する光を発光し得るＬＥＤを主体としているものであるが、もちろん当該白色光はＬＥＤによらず、他の既存の電球や蛍光灯を用いたものとしてもよい。照明用スイッチ４２は、表面を、例えば筐体２１と同色のゴム等によって構成されたものであり、押圧により照明用ＬＥＤ４１の入切を切り替える態様のものとなっている。すなわち１回の押圧によって、照明用ＬＥＤ４１の発光を維持し得る態様のものとなっている。
【００２１】
電源部５は、筐体２１内に交換可能に内臓された、例えば３本の単４形乾電池を有し、当該乾電池からの電力を上述のレーザ発光手段並びに照明用発光手段４、そして後述する通電検出回路６並びに制御回路８に供給するためのものである。そして本実施形態では、電源部５は上述の乾電池からの電力を、電圧を安定させた状態でレーザ用発光手段３、通電検出回路６及び制御回路８へ供給するための図示しない電圧レギュレータを具備したものとなっている。そうすることにより、電池の消耗度合いにかかわらず、レーザの発光、及び、通電検出回路６並びに制御回路８の作動を安定して実現し得るものとなっている。
【００２２】
しかして本実施形態に係るレーザポインタ１は、図３に示すような通電検出回路６と制御回路８とを具備することにより、照明用発光手段４の照明用ＬＥＤ４１が発光している状態におけるレーザ用発光手段３によるレーザの発光が、照明用ＬＥＤ４１が発光していない状態における発光よりも弱いように構成していることを特徴とする。
【００２３】
通電検出回路６は、照明用スイッチ４２がＯＮとなることによる照明用発光手段４への通電を検出することによって、制御手段へ印加する電圧を変えることにより、制御手段に対して照明用発光手段４の発光の有無を伝えるためのものである。当該通電検出回路６は図示しない複数のトランジスタ、抵抗、そして筐体２１内で周囲の光が遮断された状態で発光するフォトカプラを構成する図示しないＬＥＤ等を適宜配置することによって実現される、既存の電子回路によって実現されるものであり、上述の電圧レギュレータによって電圧が安定化された電力を供給されたものとなっている。詳細には、当該通電検出回路６は照明用スイッチ４２がＯＮの状態では上述の図示しないＬＥＤを発光させることにより、制御回路８側の受光素子を通電させることによって、制御回路８に照明用発光手段４への通電の有無を伝える構成となっている。
【００２４】
制御回路８は、通電検出回路６とは、上記フォトカプラの構成を介して関連付けられたものであり、通電検出回路６が照明用発光手段４への通電を検出するとレーザ用発光手段３へは、通電を検出していない状態とは異なった電圧を印加することによって、レーザ用発光手段３の出力を切り替えるように構成しているものである。詳細には、当該制御回路８は、フォトカプラを構成する受光素子、そして複数の抵抗、トランジスタ、コンデンサ、そしてオペアンプを適宜配置することによってコンピレータや積分回路を含んだ構成としている既存の電子回路によってなるものである。そして斯かる電子回路の構成によって、本実施形態では通電検出回路６側の図示しないＬＥＤの発光による受光素子の通電により、レーザ照射部３１へ印加する電圧が、例えばＯＮに切り替わることで、レーザ照射部３１からのレーザの発光を０．６ｍＷから０．４ｍＷへと切り替えるようになっている。
【００２５】
以上のような構成とすることにより、本実施形態に係るレーザポインタ１は、例えレーザと照明とが同時に他の人に向いて照射されるようなことが起こったとしても、レーザと照明との総出力を一定の基準以下に抑え得るものとなっている。そうすることにより、使用に際する安全性、加えて使用に際しての使用者及び回りの者に印象付ける安全性をもより有効に高めたレーザポインタ１としながらも、照明としての性能もレーザポインタ本来の性能も高い水準で実現することができるレーザポインタ１の提供を実現している。
【００２６】
加えて、本実施形態では、照明用発光手段４の発光に応じてレーザの出力を弱める態様を採用しているため、使用者並びに周りのものがレーザの出力が弱まることを明確に認識し得るため、使用者等により、レーザを目視することに起因する不具合をより有効に回避し得るものであることを好適に印象付け得るものとなっている。
【００２７】
そして本実施形態では、最も簡素な回路構成で照明用発光手段４の入切の何れかを把握し得るものとするために通電検出回路６を、照明用発光手段４への電圧の印加を検出する態様を採用している。
【００２８】
続いて、以下に本発明の第二実施形態並びに第三実施形態について説明するが、各実施形態について、上記第一実施形態に相当する構成要素については同じ符号を付すとともに、その詳細な説明を省略するものとする。
＜第二実施形態＞
当該第二実施形態に係る、図４のブロック図の構成を採用したレーザポインタ１は、上記実施形態と大部分の構成は同じものであるが、通電検出回路６を、レーザ用発光手段３への通電を検出する構成としている。具体的には、レーザ照射部３１からのレーザの出力を常に０．６ｍＷとして、レーザが照射されている状態では、照明用ＬＥＤ４１の出力を、０．４ｍＷから例えば０．３ｍＷといった低出力へと切り替える態様のものとしている。詳細には、斯かる通電検出回路６は、レーザ用スイッチ３２がＯＮとなることによる、レーザ照射部３１への通電、又は、通電ランプ３３への通電による電圧を検出することによって照明用ＬＥＤ４１の出力を切り替える態様としている。
【００２９】
このようなものであれば、上記実施形態と同様にレーザポインタ１の総出力を１ｍＷを超えない範囲内に抑えつつ、レーザポインタ１本来の性能を担うレーザの出力を有効に保持し得るものとなっている。
＜第三実施形態＞
当該第三実施形態に係る、図５のブロック図の構成を採用したレーザポインタ１は、上記実施形態と大部分の構成は同じものであるが、通電検出回路６に代えて、同図に示す発光検出回路７を具備したものとしている。すなわち同図に示す発光検出回路７は、照明用ＬＥＤ４１の発光を検知し得る、例えば受光素子等を具備することによって、レーザ用発光手段３からのレーザの出力を照明用ＬＥＤ４１が発光しているときはレーザの出力を０．６ｍＷから０．４ｍＷへと切り替え得る構成となっている。このようなものであれば、制御回路８の作動をより確実に行い得るものとなる。またもちろん、本実施形態の発光検出回路７は照明用発光手段４の発光を検知してレーザの出力を切り替える態様としたが、勿論、レーザ照射部３１からの発光を検知して照明用ＬＥＤ４１の出力を切り替える態様としてもよい。
【００３０】
以上、本発明の実施形態について説明したが、各部の具体的な構成は、上述した実施形態のみに限定されるものではなく、本発明の趣旨を逸脱しない範囲で種々変形が可能である。
【００３１】
特に、上記各実施形態ではそれぞれ一方の発光手段への通電又は発光を検出する態様のみを開示しているが、本発明は、勿論、両方の発光手段の通電又は発光をそれぞれ検知して、互いの出力を弱める構成を採用してもよい。すなわち本発明は上記各実施形態の構成や同明細書内に記載された態様を適宜組み合わせることによって、種々の態様のレーザポインタを実現し得るものである。
【００３２】
加えて、上記各実施形態では、レーザ又は照明の出力を２段階に切り替える構成のみを開示しているが、勿論、レーザ又は照明の出力を所定の出力の範囲内で無段階に調整するという態様を除外するものではない。
【００３３】
さらに、上記実施携帯では制御回路の構成は、専ら通電検出回路又は発光検出回路からの検出を受け付ける態様のみを開示したが、例えば一方の発光手段の状態によって他方の発光手段の通電又は発光を検知する態様を変更する構成を採用したものであってもよい。すなわち、本発明の制御手段は通電検出回路や発光検出回路を制御し得る構成であってもよい。
【００３４】
その他、各部の具体的構成についても上記実施形態に限られるものではなく、本発明の趣旨を逸脱しない範囲で種々変形が可能である。
【図面の簡単な説明】
【００３５】
【図１】本発明の第一実施形態に係るレーザポインタの概観図。
【図２】同レーザポインタの部分断面図。
【図３】同レーザポインタの機能ブロック図。
【図４】本発明の第二実施形態に係るレーザポインタの機能ブロック図。
【図５】同第三実施形態に係るレーザポインタの機能ブロック図。
【符号の説明】
【００３６】
１…レーザポインタ
２…本体
３…レーザ用発光手段
３１…ＬＥＤ（レーザ照射部）
４…照明用発光手段
４１…ＬＥＤ（照明用ＬＥＤ）
６…通電検出回路
７…発光検出回路
８…制御回路
【図１】
2010128208.tif 000003
【図２】
2010128208.tif 000004
【図３】
2010128208.tif 000005
【図４】
2010128208.tif 000006
【図５】
2010128208.tif 000007